(57)【特許請求の範囲】
【請求項１】
一端に鍔部を、他端にはネジ部を有して銃床に設けられた被着孔内に抜差可能に挿入されるスピンドルと、
ゴムまたは合成ゴムの弾性材により略筒形に形成されて前記スピンドルが内挿されることにより、該スピンドルの少なくとも左右の両端に挿設される拡張部材と、
略筒形をなして前記拡張部材間に挟持可能に前記スピンドルが内挿されて異なる質量を有する複数種のウェイト部材と、
前記スピンドルの前記ネジ部に螺合可能に設けられ、後端には割溝を有するナットと、を備え、
銃床に長手方向に設けられた被着孔内に前記スピンドル、および前記拡張部材、前記ウェイト部材、前記ナットが挿入され、前記ネジ部に前記ナットを螺進することにより、前記拡張部材を半径方向に拡張させて前記被着孔の内周に圧接、固定される
ことを特徴とする猟銃の銃床用バランサー。
【請求項２】
前記被着孔が、銃床内に長手方向に設けられ、後端には前記ナットが臨まれる開口を設けたことを特徴とする請求項１に記載の猟銃の銃床用バランサー。
【請求項３】
前記ウェイト部材が、一定長さの第１ウェイト部材と、該第１ウェイト部材の略１／２の長さの第２ウェイト部材および第３ウェイト部材と、前記第１ウェイト部材に対して略１／３の長さの第４ウェイト部材、および第５ウェイト部材、第６ウェイト部材とにより構成され、
前記第１ウェイト部材、および前記第２ウェイト部材、前記第３ウェイト部材、前記第４ウェイト部材、前記第５ウェイト部材、前記第６ウェイト部材が、鋼鉄、アルミニウム、鉛、タングステン等の比重が異なる何れかの金属により形成され、
前記第２ウェイト部材、前記第３ウェイト部材、前記第４ウェイト部材、前記第５ウェイト部材、前記第６ウェイト部材は、組合わせて使い分けがされる
ことを特徴とする請求項１または２に記載の猟銃の銃床用バランサー。
【請求項４】
一端に鍔部を、他端にはネジ部を有したスピンドルをゴムまたは合成ゴムの弾性材により略筒形に形成した拡張部材に内挿することにより、該拡張部材を前記スピンドルの少なくとも両端に挿設するとともに、略筒形のウェイト部材に前記スピンドルを前記拡張部材にて挟持可能に内挿し、
銃床に設けられた被着孔内に前記スピンドル、および前記拡張部材、前記ウェイト部材を組み込んで挿入し、
前記ネジ部に前記ナットを螺進することにより、前記拡張部材を半径方向に拡張させて前記被着孔の内周に圧接、固定する
ことを特徴とする猟銃の銃床用バランサーの取付方法。
【発明の詳細な説明】
【技術分野】
【０００１】
本発明は猟銃の銃床用バランサー、および猟銃の銃床用バランサーの取付方法に関し、例えば猟銃、または標的射撃競技用銃は、射手が狙った獲物や標的に対する瞬時の弾による命中度を向上させるのに、銃の重量、重量バランスを簡単な取扱いにて適正に調整するものである。
【背景技術】
【０００２】
狩猟用の猟銃、または標的射撃競技用銃は、獲物や標的に対する瞬時の弾による命中度を向上させるために、銃の重量、および重量バランスが適正であることが要求される。そして、銃は、重量の大部分が、銃身、機関部、銃床によって構成され、これらの重量配分によって銃全体の重量バランスが決定される。このうち、銃は、一般的には、銃身が占める重量の割合が大きく、銃前方（銃口側）が重くなり、前重のバランスとなりがちであった。
【０００３】
従来、元折形単銃身散弾銃として、銃床と、前記銃床に固定されるレシーバと、前記レシーバに作動的接続する引鉄装置と、長銃身とこの銃身の一端が固定される空洞を有し上記レシーバ部分内の動作位置に回動的に出入りする遊底をもつ銃身組立体と、銃身の一部に沿って固定される前部銃床と、上記銃身に沿って伸び且つそれに沿った複数の間隔をもった位置で固定される長いリブと、上記リブに沿った予定位置に装着する厚板状乃至はブロック状の内部錘、または側部錘と、上記内部錘、または側部錘を前記リブに前後方向にスライドさせて上記予定位置に径方向から固定するための、ねじよりなる固着手段と、を備えたものがあった（例えば、特許文献１参照）。
【先行技術文献】
【特許文献】
【０００４】
【特許文献１】特開昭４９−１０３４９８号公報
【発明の概要】
【発明が解決しようとする課題】
【０００５】
ところで、上記特許文献１に記載された上記従来の散弾銃では、銃全体に対して本来的に大きな重量を占める銃身に沿ったリブの予定位置に、厚板状の内部錘、またはアングル状の側部錘をねじよりなる固着手段により固着するものなので、一層銃身部分が重くなり、銃全体としては、銃前方（銃口側）が重くなり、前重のバランスとなりがちであった。このため、動きのある標的、例えば狩猟する飛鳥やクレーに対しての据銃、照準、射撃の一連の動作がスムーズに行われず、失中してしまうという欠点があった。適正な優れたバランスが得られている銃であれば、狩猟する飛鳥やクレーに対しての据銃、照準、射撃の一連の動作がスムーズに行われ、命中率も向上する。従って、適正なバランスを得るために、銃の適所に、適正なバランスウェイトを付加する方法が求められていた。
【０００６】
また、特許文献１に記載された上記従来の散弾銃では、銃身に沿ったリブに、例えばアングル状の側部錘をねじよりなる固着手段により径方向から固着するものなので、側部錘が外部に露出して外観的に不体裁であり、銃身の側部錘の取付個所の厚みが厚くなり、銃の取扱操作に不便を感じていた。
【０００７】
本発明は上記従来の問題点を解決するとともに、異なる質量を有する複数種のウェイト部材のうちから、所望のウェイト部材を選択し、銃の重量、重量バランスを簡単な取扱いにて適正に調整し、狩猟する飛鳥やクレーに対しての据銃、照準、射撃の一連の動作がスムーズに行われ、命中率を向上させ、外観的にもスマートであり、銃の取扱い操作も簡便に行える猟銃の銃床用バランサー、および猟銃の銃床用バランサーの取付方法を提供することを目的とする。
【課題を解決するための手段】
【０００８】
本発明は上記課題に鑑みてなされ請求項１に記載の発明は、一端に鍔部を、他端にはネジ部を有して銃床に設けられた被着孔内に抜差可能に挿入されるスピンドルと、
ゴムまたは合成ゴムの弾性材により略筒形に形成されて前記スピンドルが内挿されることにより、該スピンドルの少なくとも左右の両端に挿設される拡張部材と、
略筒形をなして前記拡張部材間に挟持可能に前記スピンドルが内挿されて異なる質量を有する複数種のウェイト部材と、
前記スピンドルの前記ネジ部に螺合可能に設けられ、後端には割溝を有するナットと、を備え、
銃床に長手方向に設けられた被着孔内に前記スピンドル、および前記拡張部材、前記ウェイト部材、前記ナットが挿入され、前記ネジ部に前記ナットを螺進することにより、前記拡張部材を半径方向に拡張させて前記被着孔の内周に圧接、固定される
ことを特徴とする。
【０００９】
また、本発明の請求項２に記載の発明は、請求項１において前記被着孔が、銃床内に長手方向に設けられ、後端には前記ナットが臨まれる開口を設けたことを特徴とする。
【００１０】
また、本発明の請求項３記載の発明は、請求項１または２において、前記ウェイト部材が、一定長さの第１ウェイト部材と、該第１ウェイト部材の略１／２の長さの第２ウェイト部材および第３ウェイト部材と、前記第１ウェイト部材に対して略１／３の長さの第４ウェイト部材、および第５ウェイト部材、第６ウェイト部材とにより構成され、
前記第１ウェイト部材、および前記第２ウェイト部材、前記第３ウェイト部材、前記第４ウェイト部材、前記第５ウェイト部材、前記第６ウェイト部材が、鋼鉄、アルミニウム、鉛、タングステン等の比重が異なる何れかの金属により形成され、
前記第２ウェイト部材、前記第３ウェイト部材、前記第４ウェイト部材、前記第５ウェイト部材、前記第６ウェイト部材は、組合わせて使い分けがされる
ことを特徴とする。
【００１１】
また、本発明の請求項４記載の発明は、一端に鍔部を、他端にはネジ部を有したスピンドルをゴムまたは合成ゴムの弾性材により略筒形に形成した拡張部材に内挿することにより、該拡張部材を前記スピンドルの少なくとも両端に挿設するとともに、略筒形のウェイト部材に前記スピンドルを前記拡張部材にて挟持可能に内挿し、
銃床に設けられた被着孔内に前記スピンドル、および前記拡張部材、前記ウェイト部材を組み込んで挿入し、
前記ネジ部に前記ナットを螺進することにより、前記拡張部材を半径方向に拡張させて前記被着孔の内周に圧接、固定する
ことを特徴とする。
【発明の効果】
【００１２】
本発明の請求項１に記載の発明によれば、一端に鍔部を、他端にはネジ部を有して銃床に設けられた被着孔内に抜差可能に挿入されるスピンドルと、ゴムまたは合成ゴムの弾性材により略筒形に形成されて前記スピンドルが内挿されることにより、該スピンドルの少なくとも左右の両端に挿設される拡張部材と、略筒形をなして前記拡張部材間に挟持可能に前記スピンドルが内挿されて異なる質量を有する複数種のウェイト部材と、前記スピンドルの前記ネジ部に螺合可能に設けられ、後端には割溝を有するナットと、を備え、銃床に長手方向に設けられた被着孔内に前記スピンドル、および前記拡張部材、前記ウェイト部材、前記ナットが挿入され、前記ネジ部に前記ナットを螺進することにより、前記拡張部材を半径方向に拡張させて前記被着孔の内周に圧接、固定されるので、異なる質量を有する複数種のウェイト部材のうちから、所望のウェイト部材を選択し、銃の重量、重量バランスを簡単な取扱いにて適正に調整し、狩猟する飛鳥やクレーに対しての据銃、照準、射撃の一連の動作がスムーズに行われ、命中率を向上させ、外観的にもスマートであり、銃の取扱い操作も簡便に行える。
【００１３】
また、本発明の請求項２に記載の発明によれば請求項１において前記被着孔が、銃床内に長手方向に設けられ、後端には前記ナットが臨まれる開口を設けたので、異なる質量を有する複数種のウェイト部材のうちから、所望のウェイト部材を選択し、一端に鍔部を有し、他端にはネジ部が設けられたスピンドルをゴムまたは合成ゴムの弾性材により略筒形に形成した拡張部材に内挿することにより、該拡張部材を前記スピンドルの少なくとも両端に挿設するとともに、略筒形のウェイト部材に前記スピンドルを前記拡張部材にて挟持可能に内挿し、その後、銃床に設けられた被着孔内に前記スピンドル、および前記拡張部材、前記ウェイト部材を組み込んで挿入し、ナットの後面に設けた割溝内に外部からドライバー、またはコインを挿入して回動操作することにより、前記ネジ部に前記ナットを螺進すると、前記拡張部材は半径方向に拡張されて前記被着孔の内周に圧接、固定され、ウェイト部材を前記被着孔内に固定する。
【００１４】
また、本発明の請求項３記載の発明によれば、請求項１または２において、前記ウェイト部材が、一定長さの第１ウェイト部材と、該第１ウェイト部材の略１／２の長さの第２ウェイト部材および第３ウェイト部材と、前記第１ウェイト部材に対して略１／３の長さの第４ウェイト部材、および第５ウェイト部材、第６ウェイト部材とにより構成され、前記第１ウェイト部材、および前記第２ウェイト部材、前記第３ウェイト部材、前記第４ウェイト部材、前記第５ウェイト部材、前記第６ウェイト部材が、鋼鉄、アルミニウム、鉛、タングステン等の比重が異なる何れかの金属により形成され、前記第２ウェイト部材、前記第３ウェイト部材、前記第４ウェイト部材、前記第５ウェイト部材、前記第６ウェイト部材は、組合わせて使い分けがされるので、鋼鉄、アルミニウム、鉛、タングステン等の比重が異なる金属により形成されて異なる質量を有する一定長さの第１ウェイト部材と、該第１ウェイト部材の略１／２の長さの第２ウェイト部材および第３ウェイト部材と、前記第１ウェイト部材に対して略１／３の長さの第４ウェイト部材、および第５ウェイト部材、第６ウェイト部材との複数種のウェイト部材のうちから、所望のウェイト部材を選択する。そして、一端に鍔部を有し、他端にはネジ部が設けられたスピンドルをゴムまたは合成ゴムの弾性材により略筒形に形成した拡張部材に内挿することにより、該拡張部材を前記スピンドルの少なくとも両端に挿設するとともに、略筒形のウェイト部材に前記スピンドルを前記拡張部材にて挟持可能に内挿し、その後、銃床に設けられた被着孔内に前記スピンドル、および前記拡張部材、前記ウェイト部材を組み込んで挿入し、ナットの後面に設けた割溝内に外部からドライバー、またはコインを挿入してナットを回動操作することにより、前記ネジ部に前記ナットを螺進すると、前記拡張部材は半径方向に拡張されて前記被着孔の内周に圧接、固定され、ウェイト部材を前記被着孔内に固定する。
【００１５】
また、本発明の請求項４記載の発明によれば、一端に鍔部を、他端にはネジ部を有したスピンドルをゴムまたは合成ゴムの弾性材により略筒形に形成した拡張部材に内挿することにより、該拡張部材を前記スピンドルの少なくとも両端に挿設するとともに、略筒形のウェイト部材に前記スピンドルを前記拡張部材にて挟持可能に内挿し、銃床に設けられた被着孔内に前記スピンドル、および前記拡張部材、前記ウェイト部材を組み込んで挿入し、前記ネジ部に前記ナットを螺進することにより、前記拡張部材を半径方向に拡張させて前記被着孔の内周に圧接、固定するので、異なる質量を有する複数種のウェイト部材のうちから、所望のウェイト部材を選択し、銃の重量、重量バランスを簡単な取扱いにて適正に調整し、狩猟する飛鳥やクレーに対しての据銃、照準、射撃の一連の動作がスムーズに行われ、命中率を向上させ、外観的にもスマートであり、銃の取扱い操作も簡便に行える。
【図面の簡単な説明】
【００１６】
【図１】図１は本発明の猟銃の銃床用バランサーの実施形態を示し、取付状態を示す部分切欠断面図である。
【図２】図２は同じく本実施形態の銃床用バランサーの分解斜視図である。
【図３】図３は同じく第１ウェイト部材を示す拡大断面図である。
【図４】図４は同じく第２ウェイト部材、および第３ウェイト部材を示す拡大断面図である。
【図５】図５は同じく第４ウェイト部材、第５ウェイト部材、および第６ウェイト部材を示す拡大断面図である。
【発明を実施するための最良の形態】
【００１７】
以下、図面に従って本発明を実施するための最良の形態につき、詳細に説明する。
【００１８】
図１乃至図５は本発明の実施形態１を示し、一端に鍔部１ａを、他端にはネジ部１ｂを有して銃床２に設けられた被着孔３内に抜差可能に挿入されるスピンドル１と、ゴムまたは合成ゴムの弾性材により略筒形に形成されて前記スピンドル1が内挿されることにより、該スピンドル1の少なくとも左右の両端に挿設される拡張部材４,４と、略筒形をなして前記拡張部材４,４間に挟持可能に前記スピンドル１が内挿されて異なる質量を有する複数種のウェイト部材Ｗ；Ｗ,Ｗ・・・と、前記スピンドル１の前記ネジ部１ｂに螺合可能に設けられ、後端には割溝５ａを有するナット５と、を備え、銃床２に長手方向Ｉに設けられた被着孔３内に前記スピンドル１、および前記拡張部材４,４、前記ウェイト部材Ｗ；Ｗ,Ｗ・・・、前記ナット５が挿入され、前記ネジ部１ｂに前記ナット５を螺進することにより、前記拡張部材４,４を半径方向Ｒに拡張させて前記被着孔３の内周に圧接、固定される。
【００１９】
前記スピンドル１の大きさは、本実施形態では、図２に示すように、例えば外径φ１が５ｍｍであり、長さＬ１が１２２ｍｍに形成される。
【００２０】
前記被着孔３が、銃床２内に長手方向Ｉに下側斜面部２ａに沿って設けられ、後端には前記ナット５が臨まれる開口３ａを設けている。
【００２１】
前記拡張部材４の大きさは、例えばその外径φ３が１２ｍｍであり、内径φ２が５．２ｍｍである。
【００２２】
前記ウェイト部材Ｗが、図３に示すように一定長さＬ２の第１ウェイト部材Ｗ１と、図４に示すように該第１ウェイト部材Ｗ１の略１／２の長さの第２ウェイト部材Ｗ２および第３ウェイト部材Ｗ３と、図５に示すように前記第１ウェイト部材Ｗ１に対して略１／３の長さの第４ウェイト部材Ｗ４、および第５ウェイト部材Ｗ５、第６ウェイト部材Ｗ６とにより構成され、前記第１ウェイト部材Ｗ１、および前記第２ウェイト部材Ｗ２、前記第３ウェイト部材Ｗ３、前記第４ウェイト部材Ｗ４、前記第５ウェイト部材Ｗ５、前記第６ウェイト部材Ｗ６が、例えば鋼鉄、アルミニウム、鉛、タングステン等の比重が異なる何れかの金属により形成され、前記第２ウェイト部材Ｗ２、前記第３ウェイト部材Ｗ３、前記第４ウェイト部材Ｗ４、前記第５ウェイト部材Ｗ５、前記第６ウェイト部材Ｗ６は、射手の好みに応じて適正に組合わせて使い分けがされる。
【００２３】
そして、前記第１ウェイト部材Ｗ１の大きさは、具体的に例えば内径φ４が５．２ｍｍ、外径φ５が１２ｍｍ、長さＬ２が８５ｍｍである。そして、この第１ウェイト部材Ｗ１が例えば鋼鉄で形成されている場合の重量は６１ｇであり、アルミニウムで形成されている場合の重量は２１ｇであり、鉛で形成されている場合の重量は８９ｇであり、タングステンで形成されている場合の重量は１５１ｇである。
【００２４】
また、前記第１ウェイト部材Ｗ１が、鋼鉄で形成されている場合の銃床用バランサー全体の全体重量は１０３ｇであり、第１ウェイト部材Ｗ１がアルミニウムで形成されている場合の銃床用バランサー全体の全体重量は６３ｇであり、第１ウェイト部材Ｗ１が鉛で形成されている場合の銃床用バランサー全体の全体重量は１３１ｇであり、第１ウェイト部材Ｗ１がタングステンで形成されている場合の銃床用バランサー全体の全体重量は１９３ｇである。
【００２５】
さらに、前記第２ウェイト部材Ｗ２、および前記第３ウェイト部材Ｗ３を異なる材質で形成した場合、例えば前記第２ウェイト部材Ｗ２、および前記第３ウェイト部材Ｗ３の何れか一方を鉄、何れか他方をアルミニウムで形成したもの相互を組み合わせたウェイト部材Ｗは、８３ｇである。また、前記第２ウェイト部材Ｗ２、および前記第３ウェイト部材Ｗ３の何れか一方を鉛、何れか他方をタングステンで形成したもの相互を組み合わせたウェイト部材Ｗは、１６２ｇである。
【００２６】
６はワッシャー、７はスプリング・ワッシャーであり、これらのワッシャー６、およびスプリング・ワッシャー７は、ナット５をスピンドル１のネジ部１ｂに螺合した際に介装されて緩みを防止するためのものである。８はパットプレートであり、銃床２の後尾に着脱自在に取付けられる蓋部材である。なお、各図において、図中の同一部分は同一符号で示している。
【００２７】
本発明の猟銃の銃床用バランサーの実施形態は以上の構成からなり、銃床２内にバランサーを取付けるのには、先ず、一端に鍔部１ａを有し、他端にはネジ部１ｂが設けられたスピンドル１をゴムまたは合成ゴムの弾性材により略筒形に形成した拡張部材４,４に内挿することにより、該拡張部材４,４を前記スピンドル１の少なくとも両端に挿設するとともに、略筒形のウェイト部材Ｗ；Ｗ,Ｗ・・・に前記スピンドル１を内挿して前記拡張部材４,４にて挟持可能に予め組立て、ワッシャー６、スプリングワッシャー７も挿設し、ナット５を軽く締め込んでおく。
【００２８】
次いで、銃床２に長手方向Ｉに設けられた被着孔３内に前述のように予め組立てられた前記スピンドル１、および前記拡張部材４、前記ウェイト部材Ｗ；Ｗ,Ｗ・・・を挿入する。その後、ナット５の後面に設けられた割溝５ａ内にドライバーの先端やコイン（図には示さず）を嵌入してから、回動操作することにより、スピンドル１の前記ネジ部１ｂに前記ナット５を螺進し、前記拡張部材４,４を半径方向Ｒに拡張させて前記被着孔３の内周に圧接、固定し、ウェイト部材Ｗ；Ｗ,Ｗ・・・を被着孔３内に取付ける。
【００２９】
この際、前記ウェイト部材Ｗ；Ｗ,Ｗ・・・が、一定長さの第１ウェイト部材Ｗ１と、該第１ウェイト部材Ｗ１の略１／２の長さの第２ウェイト部材Ｗ２および第３ウェイト部材Ｗ３と、前記第１ウェイト部材Ｗ１に対して略１／３の長さの第４ウェイト部材Ｗ４、および第５ウェイト部材Ｗ５、第６ウェイト部材Ｗ６とにより構成された多種類が用意され、これらの前記第１ウェイト部材Ｗ１、および前記第２ウェイト部材Ｗ２、前記第３ウェイト部材Ｗ３、前記第４ウェイト部材Ｗ４、前記第５ウェイト部材Ｗ５、前記第６ウェイト部材Ｗ６は、例えば鋼鉄、アルミニウム、鉛、タングステン等の比重が異なる何れかの金属により形成されているので、射手は、第１ウェイト部材１単独で用いたり、または、前記第２ウェイト部材Ｗ２、前記第３ウェイト部材Ｗ３、前記第４ウェイト部材Ｗ４、前記第５ウェイト部材Ｗ５、前記第６ウェイト部材Ｗ６のうちから、好みにあった適切なものを選択して組合わせることにより、銃の重量、重量バランスを簡単な取扱いにて自己の好みに合わせて適正に調整することができる。
【００３０】
例えば、内径φ４が５．２ｍｍ、外径φ５が１２ｍｍ、長さＬ２が８５ｍｍをなす第１ウェイト部材Ｗ１が鋼鉄で形成されている場合の重量は６１ｇであり、また、アルミニウムで形成されている場合の重量は２１ｇであり、また鉛で形成されている場合の重量は８９ｇであり、タングステンで形成されている場合の重量は１５１ｇであり、これらのうちから射手は自己の好みに合わせて適正なものを選択する。
【００３１】
また、第１ウェイト部材Ｗ１が鋼鉄で形成されている場合の銃床用バランサー全体の全体重量は、例えば１０３ｇであり、第１ウェイト部材Ｗ１がアルミニウムで形成されている場合の銃床用バランサー全体の全体重量は６３ｇであり、第１ウェイト部材Ｗ１が鉛で形成されている場合の銃床用バランサー全体の全体重量は１３１ｇであり、第１ウェイト部材Ｗ１がタングステンで形成されている場合の銃床用バランサー全体の全体重量は１９３ｇである。
【００３２】
さらに、前記第２ウェイト部材Ｗ２、および前記第３ウェイト部材Ｗ３を異なる材質で形成した場合、例えば前記第２ウェイト部材Ｗ２、および前記第３ウェイト部材Ｗ３の何れか一方を鉄、何れか他方をアルミニウムで形成したもの相互を組み合わせたウェイト部材Ｗは、８３ｇである。また、前記第２ウェイト部材Ｗ２、および前記第３ウェイト部材Ｗ３の何れか一方を例えば鉛、何れか他方をタングステンで形成したもの相互を組み合わせたウェイト部材Ｗは、１６２ｇであるので、射手は自己の好みに合わせて適正なものを選択する。
【００３３】
こうして、特許文献１に記載された上記従来の散弾銃のように、銃全体に対して本来的に大きな重量を占める銃身に沿ったリブの予定位置に、厚板状の内部錘、またはアングル状の側部錘をねじよりなる固着手段により固着したものは、銃身に内部錘、または側部錘を固着するものなので、一層銃身部分が重くなり、銃全体としては、銃前方（銃口側）が重くなり、前重のバランスとなりがちになっていたのとは異なり、本実施形態の猟銃の銃床用バランサーは、銃身に対して下方に位置する銃床に設けた被着孔内に取付けられるため、銃は前重にならずにバランス良く、安定化し、狩猟する飛鳥やクレーのように動きのある標的に対して自己の好みに適正に調整され、据銃、照準、射撃の一連の動作がスムーズに行われ、命中率を向上させることができる。
【００３４】
また、本発明の猟銃の銃床用バランサーの実施形態では、前記ウェイト部材Ｗ；Ｗ,Ｗ・・・が、銃床２に設けられた被着孔３内に前記スピンドル１、および前記拡張部材４、前記ウェイト部材Ｗ；Ｗ,Ｗ・・・、ワッシャー６，スプリングワッシャー７，ナット５を組み込んだものを挿入し、その後、ナット５をスピンドル１の後端のネジ部１ｂの回りで回動操作することにより、前記ネジ部１ｂに前記ナット５を螺進し、前記拡張部材４,４を半径方向Ｒに拡張させて前記被着孔３の内周に圧接、固定し、ウェイト部材Ｗ；Ｗ,Ｗ・・・を被着孔３内に取付けるのに対し、例えば特許文献１に記載された従来の散弾銃では、銃身に沿ったリブに、例えばアングル状の側部錘をねじよりなる固着手段により径方向から固着するものであり、側部錘が外部に露出して外観的に不体裁であり、銃身の側部錘の取付個所の厚みが厚くなり、銃の把持に違和感を覚えたり、取扱操作が不自然を感じていたのに対して本実施形態の猟銃の銃床用バランサーでは、外観的にもスマートであり、銃の把持にはヒット感を覚え、取扱い操作も簡便に行える。
【産業上の利用可能性】
【００３５】
本発明は、異なる質量を有する複数種のウェイト部材のうちから、所望のウェイト部材を選択し、銃の重量、重量バランスを簡単な取扱いにて適正に調整し、狩猟する飛鳥やクレーに対しての据銃、照準、射撃の一連の動作がスムーズに行われ、命中率を向上させ、外観的にもスマートであり、銃の取扱い操作も簡便に行えるという用途・機能に適する。
【符号の説明】
【００３６】
１    スピンドル
１ａ  鍔部
１ｂ  ネジ部
２    銃床
３    被着孔
４    拡張部材
５    ナット
５ａ  割溝
６    ワッシャー
７    スプリングワッシャー
８    パットプレート
Ｗ    ウェイト部材
Ｗ１  第１ウェイト部材
Ｗ２  第２ウェイト部材
Ｗ３  第３ウェイト部材
Ｗ４  第４ウェイト部材
Ｗ５  第５ウェイト部材
Ｗ６  第６ウェイト部材
【図１】
0005615655.tif 000002
【図２】
0005615655.tif 000003
【図３】
0005615655.tif 000004
【図４】
0005615655.tif 000005
【図５】
0005615655.tif 000006